(57)【要約】【課題】ケーシング内において熱交換機の背面側に空気流入口を有する送風機を配置してなる空気調和機にあって、熱交換機における有効熱交換面積を広く確保して空気調和機としての性能向上を図ることができる薄型コンパクトな空気調和機を提供する。【解決手段】遠心送風機１５（羽根部１８）の回転駆動に基づきケーシング１１の前面の吸込口１２からケーシング１１内に吸い込まれた空気は、ケーシング１１内において、まず熱交換機１４内を通過し、その際に温度調整（加熱又は冷却）がなされる。そして次に、熱交換機１４の背面側から吹き出された際には、その空気吹出流の方向が末広がり状をなす空気ガイド２５によって遠心送風機１５の空気流入口１５ａの中心方向に向けてガイドされる。そのため、遠心送風機１５の空気流入口１５ａへは該空気流入口１５ａよりも広範囲となる熱交換機１４の背面部分からの空気吹出流が流入することになる。【選択図】      図３
2006029717.tif 000002
【特許請求の範囲】
【請求項１】
ケーシング内に、ケーシングの前面に設けられた吸込口に対向させて熱交換機を配置すると共に、該熱交換機の背面側には空気流入口を有する送風機を配置し、該送風機の回転駆動に基づき前記吸込口からケーシング内に吸い込まれた空気が、前記熱交換機、前記空気流入口、前記送風機を順次に通過した後、ケーシング外へ吹き出されるようにした空気調和機において、
前記熱交換機と前記送風機の空気流入口との間に、前記熱交換機の背面から吹き出された空気を前記空気流入口の中心方向に向けてガイドする空気ガイドを設けた空気調和機。
【請求項２】
前記空気ガイドは前記空気流入口側から前記熱交換機側へ向けて末広がり状をなしている請求項１に記載の空気調和機。
【請求項３】
前記空気ガイドは正面視環状をなしている請求項１又は請求項２に記載の空気調和機。
【請求項４】
前記空気ガイドは、前記空気流入口の正面領域内に空気流入口側となる基端部が位置すると共に前記空気流入口の正面領域外に熱交換機側となる先端部が位置する配置構成とされている請求項１〜請求項３のうち何れか一項に記載の空気調和機。
【請求項５】
前記空気流入口を開口形成する送風機のシュラウド又は前記ケーシングには前記空気流入口の正面領域内まで先端を延出させた細棒状の支持部材が固定されており、前記空気ガイドは該空気ガイドにおける空気流入口側となる基端部が前記支持部材により支持されている請求項４に記載の空気調和機。
【請求項６】
前記空気流入口の正面領域内には前記空気ガイドと相似形状をなす補助空気ガイドが少なくとも一つ配設されている請求項１〜請求項５のうち何れか一項に記載の空気調和機。
【請求項７】
前記送風機は、遠心送風機、斜流送風機、軸流送風機、又はクロスフロー送風機の何れかである請求項１〜請求項６のうち何れか一項に記載の空気調和機。
【発明の詳細な説明】
【技術分野】
【０００１】
本発明は、ケーシング内に熱交換機と送風機とを備えた空気調和機に関する。
【背景技術】
【０００２】
従来、この種の空気調和機としては、例えば特許文献１に記載の空気調和機のように、ケーシング内に、ケーシング前面の吸込口（吸込グリル）に対向させて熱交換機を配置すると共に、該熱交換機の背面側に空気流入口を有する遠心ファン等からなる送風機を配置したものが知られている。即ち、この空気調和機では、送風機の回転駆動に伴い吸込口からケーシング内に吸い込まれた空気が、前記熱交換機を通過する際に該熱交換機内を流れる冷媒との熱交換により温度調整された後、前記空気流入口から送風機側に流入し、その後、例えばケーシング上面等に設けられた吹出口（吹出グリル）からケーシング外へ吹き出されるようになっている。
【特許文献１】特開平９−１５９２１７号公報（請求項１、段落番号［００２３］、図２）
【発明の開示】
【発明が解決しようとする課題】
【０００３】
ところが、特許文献１に記載の空気調和機では、次のような問題があった。即ち、空気調和機では、ケーシング内に吸い込まれた空気が熱交換機を通過する際に冷媒と効率良く熱交換できる有効熱交換面積を広く確保することが重要となる。その一方、近時における空気調和機には、設置スペースを少なくしたいという観点から、薄型コンパクト化の要請がなされている。そのため、かかる要請に応えるべく、ケーシング内における熱交換機と該熱交換機の背面側に配置される送風機との間の距離は可能な限り短くすることが必要となる。従って、特許文献１に記載の空気調和機でも、前記薄型コンパクト化の要請を考慮して、ケーシング内において熱交換機と送風機とは両者間の距離が可能な限り短くされた配置構成となっている。
【０００４】
しかしながら、そのように熱交換機と送風機との間の距離を可能な限り短くしてしまうと、送風機の空気流入口が熱交換機の背面に近接した状態となるため、ケーシング前面の吸込口からケーシング内に吸い込まれた空気は、熱交換機全体のうち前記送風機の空気流入口の正面領域に対応した狭い領域部分しか通過しなくなる。即ち、熱交換機における有効熱交換面積が前記空気流入口の大きさと同じ程度の狭い面積しか確保できないことになる。従って、空気調和機における薄型コンパクト化要請に応えようとすると、熱交換機における有効熱交換面積を広く確保することが困難となり、空気調和機としての性能向上を図れないという問題があった。
【０００５】
本発明は、上記事情に鑑みてなされたものであり、その目的は、ケーシング内において熱交換機の背面側に空気流入口を有する送風機を配置してなる空気調和機にあって、熱交換機における有効熱交換面積を広く確保して空気調和機としての性能向上を図ることができる薄型コンパクトな空気調和機を提供することにある。
【課題を解決するための手段】
【０００６】
上記目的を達成するために、空気調和機に係る請求項１に記載の発明は、ケーシング内に、ケーシングの前面に設けられた吸込口に対向させて熱交換機を配置すると共に、該熱交換機の背面側には空気流入口を有する送風機を配置し、該送風機の回転駆動に基づき前記吸込口からケーシング内に吸い込まれた空気が、前記熱交換機、前記空気流入口、前記送風機を順次に通過した後、ケーシング外へ吹き出されるようにした空気調和機において、前記熱交換機と前記送風機の空気流入口との間に、前記熱交換機の背面から吹き出された空気を前記空気流入口の中心方向に向けてガイドする空気ガイドを設けたことを要旨としている。
【０００７】
請求項１に記載の発明によれば、送風機の回転駆動に基づきケーシングの前面の吸込口からケーシング内に吸い込まれた空気は、ケーシング内において、まず熱交換機内を通過し、その際に温度調整（加熱又は冷却）がなされる。そして次に、熱交換機の背面側から吹き出された際には、その空気吹出流の方向が空気ガイドによって送風機の空気流入口の中心方向に向けてガイドされる。そのため、送風機の空気流入口へは該空気流入口よりも広範囲となる熱交換機の背面部分からの空気吹出流が流入することになる。換言すると、熱交換機は、送風機における空気流入口よりも広い範囲となる部分を空気が通過することになる。従って、たとえ熱交換機と送風機との間の距離を詰めて、空気調和機の奥行方向のコンパクト化（薄型化）を図っている場合でも、熱交換機における有効熱交換面積を広く確保することが可能となり、空気調和機としての性能向上が良好に図られる。
【０００８】
また、請求項２に記載の発明は、請求項１に記載の空気調和機において、前記空気ガイドは前記空気流入口側から前記熱交換機側へ向けて末広がり状をなしていることを要旨としている。そのため、この請求項２に記載の発明によれば、送風機が回転駆動した際に、熱交換機の背面側から吹き出された空気を末広がり状の空気ガイドに沿って滑らかに送風機の空気流入口の中心方向に向けてガイドすることができ、熱交換機の背面側から送風機の空気流入口へ空気が流入する際の騒音低減を図ることができる。
【０００９】
また、請求項３に記載の発明は、請求項１又は請求項２に記載の空気調和機において、前記空気ガイドは正面視環状をなしていることを要旨としている。そのため、この請求項３に記載の発明によれば、送風機が回転駆動した際において熱交換機の背面側から吹き出された空気を送風機の空気流入口の中心方向に向けて四方八方から満遍なくガイドすることができる。
【００１０】
また、請求項４に記載の発明は、請求項１〜請求項３のうち何れか一項に記載の空気調和機において、前記空気ガイドは、前記空気流入口の正面領域内に空気流入口側となる基端部が位置すると共に前記空気流入口の正面領域外に熱交換機側となる先端部が位置する配置構成とされていることを要旨としている。そのため、この請求項４に記載の発明によれば、熱交換機の背面全体のうちで送風機の空気流入口の正面領域外に位置する部分からの空気吹出流についても空気ガイドにより送風機の空気流入口に向けてガイドできることになり、良好に熱交換機における有効熱交換面積を広く確保することができる。
【００１１】
また、請求項５に記載の発明は、請求項４に記載の空気調和機において、前記空気流入口を開口形成する送風機のシュラウド又は前記ケーシングには前記空気流入口の正面領域内まで先端を延出させた細棒状の支持部材が固定されており、前記空気ガイドは該空気ガイドにおける空気流入口側となる基端部が前記支持部材により支持されていることを要旨としている。そのため、請求項５に記載の発明によれば、送風機の回転駆動に基づき熱交換機の背面側から吹き出された空気が送風機の空気流入口に向かって流入する際に、空気ガイドを支持する支持部材によって遮られることを極力なくすことができる。
【００１２】
また、請求項６に記載の発明は、請求項１〜請求項５のうち何れか一項に記載の空気調和機において、前記空気流入口の正面領域内には前記空気ガイドと相似形状をなす補助空気ガイドが少なくとも一つ配設されていることを要旨としている。そのため、請求項６に記載の発明によれば、補助空気ガイドを配設することにより、熱交換機の背面部分から吹き出された空気をより効率良く送風機の空気流入口の中心に向けてガイドすることができる。
【００１３】
また、請求項７に記載の発明は、請求項１〜請求項６のうち何れか一項に記載の空気調和機において、前記送風機は、遠心送風機、斜流送風機、軸流送風機、又はクロスフロー送風機の何れかであることを要旨としている。そのため、請求項７に記載の発明によれば、熱交換機の背面側に設けられた送風機が、遠心送風機、斜流送風機、軸流送風機、又はクロスフロー送風機の何れの場合であっても、請求項１〜請求項６に記載の発明の効果を奏し得る。
【発明の効果】
【００１４】
請求項１〜請求項７に記載の本発明によれば、ケーシング内において熱交換機の背面側に空気流入口を有する送風機を配置してなる空気調和機にあって、熱交換機における有効熱交換面積を広く確保して空気調和機としての性能向上を図ることができる。
【発明を実施するための最良の形態】
【００１５】
以下、本発明を空気調和機における室内機に具体化した一実施形態を図１〜図４にしたがって説明する。なお、以下の説明において前後方向という場合には、図１における左右方向の左側を前方向、右側を後方向とし、図２における紙面と直交する方向の手前側を前方向、奥側を後方向として説明するものとする。
【００１６】
図１及び図２に示すように、本実施形態の空気調和機１０は、箱状のケーシング１１を備えており、該ケーシング１１の背面（後面）が壁面Ｗに対してピッタリと接した状態に取り付けられる壁掛け式薄型の室内機として構成されている。前記ケーシング１１の前面には、ケーシング１１内に空気を吸い込むための吸込口１２が略矩形状をなすように開口形成されると共に、前記ケーシング１１の下面側には、該ケーシング１１内から空気調和機１０により温度調整された後の空気を吹き出すための吹出口１３がケーシング１１の長手方向（左右方向）に沿うように横長に形成されている。
【００１７】
前記ケーシング１１内には、該ケーシング１１の前面に設けられた吸込口１２に対向させて熱交換機１４が配置されると共に、該熱交換機１４の背面側には回転軸線Ｐが前後方向に沿う遠心送風機１５が配置されている。前記熱交換機１４は、その前面側から見た場合の輪郭形状（正面視形状）が前記ケーシング１１の正面視形状と略同一の矩形状をなすように形成されている。また、ケーシング１１内において、前記熱交換機１４と遠心送風機１５との間には、該送風機１５のシュラウドを構成する仕切壁１１ａがケーシング１１の上下左右各内面から前記回転軸線Ｐと直交する方向へ突出形成されており、この仕切壁１１ａに熱交換機１４の背面から吹き出された空気を前記遠心送風機１５側へ流入させるための空気流入口１５ａが円形状に開口形成されている。
【００１８】
前記遠心送風機１５は、略円盤形状をなすハブ１６と該ハブ１６の外周部前面から前方へ向けて突設された複数枚（本実施形態では３２枚）の円弧状をなす羽根１７とを備えてなる羽根部１８と、該羽根部１８を回転駆動させるためのモータ１９とを備えている。前記遠心送風機１５は、羽根部１８の回転駆動に基づき発生する遠心力によって、該遠心送風機１５内から空気を前記回転軸線Ｐと直交する遠心方向（ラジアル方向）へ向けて吹き出す遠心送風機能を有するものであり、その羽根部１８は前面側から見た場合の輪郭形状（正面視形状）が前記空気流入口１５ａと略同一の大きさをなしている。
【００１９】
前記ハブ１６の背面側には、前面側から見た場合の輪郭形状が略円形状をなすロータ２０が一体化されており、当該ロータ２０には、前記回転軸線Ｐを中心とした場合に環状配置の構成となる複数（図１では２つのみ図示）のマグネット２１が設けられている。因みに、各マグネット２１は、前記回転軸線Ｐに沿う方向にＮＳ磁極が位置するように着磁されており、ロータ２０の背面側へ磁極がＳ極となるマグネットとＮ極となるマグネットとが周方向へ交互に位置するように配置されている。
【００２０】
また、前記ケーシング１１の後壁内面１１ｂには、前面側から見た場合の輪郭形状がロータ２０と略同形状（略円形状）に形成された薄板状のステータ２２が配設されている。ステータ２２の前面略中央部からは前記回転軸線Ｐに軸線を一致させた支持軸２２ａが突設されており、該支持軸２２ａの先端部に遠心送風機１５の羽根部１８が回動自在に支持されている。また、ステータ２２の前面には、前記ロータ２０の各マグネット２１と対応する部分に各々巻線状をなすコイル２３が設けられている（具体的には、ステータ２２の前面に絶縁を図ってプリント形成されている）。そして、これら各コイル２３が設けられたステータ２２と前記各マグネット２１が設けられたロータ２０とにより前記モータ１９が構成されている。
【００２１】
また、前記熱交換機１４と遠心送風機１５との間において、前記仕切壁１１ａの前面側には、複数（本実施形態では４本）の細棒状をなすシャフト（支持部材）２４が上下方向に延びるように固定されている。そして、これら各シャフト２４における前記空気流入口１５ａの正面領域内まで延びた部分に対して、前記熱交換機１４の背面から吹き出された空気を遠心送風機１５の空気流入口１５ａの中心方向に向けてガイドするための空気ガイド２５が支持固定されている。この空気ガイド２５は、その側断面視形状が、図１に示すように、空気流入口１５ａ側から熱交換機１４へ向けて末広がり状をなすと共に、その正面視形状が、図２に示すように、円環状をなすように形成されている。そして、前記熱交換機１４の背面側にあって、前記空気ガイド２５は、空気流入口１５ａの正面領域内に該空気流入口１５ａ側となる基端部２５ａが位置すると共に、空気流入口１５ａの正面領域外に熱交換機１４側となる先端部２５ｂが位置するように配置されている。
【００２２】
また、前記空気流入口１５ａの正面領域内であって且つ空気ガイド２５の径方向内側には、当該空気ガイド２５と相似形状（すなわち、側断面視形状が末広がり状であって且つ正面視形状が円環状）をなす複数（本実施形態では２つ）の補助空気ガイド２６，２７が夫々配設されている。前記各補助空気ガイド２６，２７は、前記回転軸線Ｐを中心とした場合に、前記空気ガイド２５と同心円状の配置構成となるように構成されており、互いの大きさ比較では、空気ガイド２５の大きさ＞補助空気ガイド２６の大きさ＞補助空気ガイド２７の大きさとなる関係にある。そして、前記空気流入口１５ａの正面領域内にあって空気ガイド２５の内側領域において補助空気ガイド２６の基端部２６ａが各シャフト２４に支持固定されると共に、該補助空気ガイド２６の内側領域において補助空気ガイド２７の基端部２７ａが各シャフト２４に支持固定されている。
【００２３】
また、前記ケーシング１１内において前記仕切壁１１ａの背面側には、前記吹出口１３に連通する空気吹出流路２８が形成されている。そして、この空気吹出流路２８の上面側には、遠心送風機１５が空気流入口１５ａから吸い込んで回転軸線Ｐと直交する方向（遠心方向）に向けて吹き出した空気を前記吹出口１３に向けて円滑に拡散誘導するための誘導部（「ファンスクロール」ともいう）２９が形成されている。また、前記空気吹出流路２８内において遠心送風機１５の羽根部１８の一側方寄り（図２では右側方寄り）には、遠心送風機１５から吹き出された空気を横長の吹出口１３全域から満遍なくケーシング１１外に吹き出させるための空気分散部３０が不定形な島状をなすように形成されている。
【００２４】
そこで次に、上記のように構成された本実施形態の空気調和機１０における作用につき以下説明する。
さて、モータ１９におけるステータ２２の各コイル２３に交流電圧が印加されると、前記ロータ２０とステータ２２との間には相対回転力が発生して、遠心送風機１５の羽根部１８がロータ２０と一体的に回転駆動される。すると、図３に示すように、遠心送風機１５（羽根部１８）の回転駆動に基づき、前記ケーシング１１内には前面側の吸込口１２から空気が吸い込まれ、該空気は、空気ガイド２５及び各補助空気ガイド２６，２７によって遠心送風機１５の空気流入口１５ａの中心方向に向けてガイドされることになる。
【００２５】
ここで、もし仮に図４に示す比較例の空気調和機５０のように、熱交換機１４と遠心送風機１５との間に空気ガイド２５及び各補助空気ガイド２６，２７が配設されていない場合には、熱交換機１４の背面から遠心送風機１５の空気流入口１５ａに向かう空気吹出流は次のようになる。すなわち、遠心送風機１５（羽根部１８）の回転駆動に伴い吸込口１２からケーシング１１内に吸い込まれた空気は、熱交換機１４の背面全体のうちで図４に二点鎖線で示す狭い領域部分５１しか通過しないことになる。そのため、この比較例の空気調和機５０では、熱交換機１４における有効熱交換面積が空気流入口１５ａと同程度の狭い面積しか確保できないことになり、これでは熱交換効率を十分に確保できないという問題がある。
【００２６】
これに対し、本実施形態の空気調和機１０の場合には、熱交換機１４と遠心送風機１５との間に空気ガイド２５及び各補助空気ガイド２６，２７が配設されており、該空気ガイド２５及び各補助空気ガイド２６，２７は、熱交換機１４の背面から吹き出された空気を空気流入口１５ａの中心方向に向けてガイドする機能を夫々有している。そのため、遠心送風機１５（羽根部１８）の回転駆動に伴い吸込口１２からケーシング１１内に吸い込まれた空気は、前記空気流入口１５ａの正面領域よりも広い範囲となる熱交換機１４の背面ほぼ全域を通過し、前記空気ガイド２５及び各補助空気ガイド２６，２７の末広がり形状に沿うようにして空気流入口１５ａ内にガイドされる（図３参照）。すなわち、本実施形態の空気調和機１０では、熱交換機１４における有効熱交換面積が空気流入口１５ａの大きさ（開口面積）に比して十分に広く確保されることになり、十分な熱交換効率を確保できることになる。従って、遠心送風機１５内に流入する空気は、広範囲の有効熱交換面積を有する熱交換機１４を通過したことにより、十分に温度調整される。
【００２７】
そして、空気ガイド２５及び各補助空気ガイド２６，２７によって前記空気流入口１５ａの中心方向に向けてガイドされた空気は、該空気流入口１５ａから遠心送風機１５内に吸い込まれ、該遠心送風機１５（羽根部１８）の遠心力に基づき、その回転軸線Ｐと直交する方向（遠心方向）に吹き出される。そして、遠心送風機１５から空気吹出流路２８内に吹き出された空気は、該空気吹出流路２８内を誘導部２９の形状に沿って吹出口１３側へ流動し、該吹出口１３からケーシング１１（空気調和機１０）外に吹き出される。
【００２８】
上記実施形態の空気調和機１０によれば、以下のような効果を得ることができる。
（１）遠心送風機１５（羽根部１８）の回転駆動に基づきケーシング１１内に吸い込まれた空気は、熱交換機１４内を通過して温度調整（加熱又は冷却）がなされた後において該熱交換機１４の背面側から吹き出される際に、その空気吹出流の方向が空気ガイド２５により遠心送風機１５の空気流入口１５ａの中心方向に向けてガイドされる。そのため、遠心送風機１５の空気流入口１５ａへは該空気流入口１５ａの正面領域よりも広い範囲となる熱交換機１４の背面部分からの空気吹出流も流入することになる。すなわち、熱交換機１４においては、遠心送風機１５の空気流入口１５ａの正面領域よりも広い範囲となる部分を空気が熱交換のために通過することになる。従って、たとえ熱交換機１４と遠心送風機１５との間の距離を詰めて、空気調和機１０の奥行方向のコンパクト化（薄型化）を図っている場合でも、熱交換機１４における有効熱交換面積を広く確保することが可能となり、空気調和機１０としての性能向上を良好に図ることができる。
【００２９】
（２）熱交換機１４の背面から吹き出された空気を空気流入口１５ａの中心方向に向けてガイドする空気ガイド２５は、空気流入口１５ａ側から熱交換機１４側へ末広がり状をなしている。そのため、遠心送風機１５（羽根部１８）が回転駆動した際には、末広がり状をなす空気ガイド２５に沿って熱交換機１４側から遠心送風機１５の空気流入口１５ａ内へ空気を滑らかに流入させることができ、熱交換機１４側から遠心送風機１５側へ空気が流入する際の騒音低減を図ることができる。
【００３０】
（３）空気ガイド２５は、正面視円環状をなしているため、遠心送風機１５が回転駆動した際には、熱交換機１４の背面側から吹き出された空気を遠心送風機１５の空気流入口の中心方向に向けて四方八方から満遍なくガイドすることができるようになる。従って、熱交換機１４における有効熱交換面積を遠心送風機１５の空気流入口１５ａを中心として四方八方へ良好に広げることができる。
【００３１】
（４）空気ガイド２５は、熱交換機１４側となる先端部２５ｂが遠心送風機１５の空気流入口１５ａの正面領域外に位置する構成となっているため、該空気流入口１５ａの正面領域よりも広い範囲となる熱交換機１４の背面部分からの空気吹出流についても、これを遠心送風機１５の空気流入口１５ａ内へ良好にガイドできるようになる。従って、良好に熱交換機１４における有効熱交換面積を広く確保することができる。
【００３２】
（５）空気流入口１５ａの正面領域内に空気ガイド２５を支持固定するシャフト（支持部材）２４は細棒状をなしているため、遠心送風機１５の回転駆動に基づき熱交換機１４の背面側から吹き出された空気が遠心送風機１５の空気流入口１５ａに向かって流入する際に、前記シャフト２４によって遮られることを極力なくすことができる。
【００３３】
（６）空気流入口１５ａの正面領域内には空気ガイド２５と相似形状をなす各補助空気ガイド２６，２７を配設したので、熱交換機１４の背面から吹き出された空気をより効率良く空気流入口１５ａの中心方向に向けて流入ガイドすることができる。
【００３４】
（７）遠心送風機１５（羽根部１８）の遠心力に基づき、該送風機１５内から回転軸線Ｐと直交する遠心方向へ吹き出された空気は、空気吹出流路２８内を誘導部２９及び空気分散部３０により滑らかに拡散誘導されて吹出口１３へと流動するようになる。従って、吹出口１３から空気が吹き出される際の騒音低減を良好に図ることができる。
【００３５】
なお、本実施形態は以下のような別の実施形態（別例）に変更してもよい。
・前記実施形態において、送風機（遠心送風機１５）は、斜流送風機、軸流送風機、又はクロスフロー送風機の何れかに置換して具体化してもよい。
【００３６】
・前記実施形態において、補助空気ガイド２６，２７は、１つ又は３つ以上の任意数の補助空気ガイドが配設される構成であってもよい。また、熱交換機１４と遠心送風機１５との間に空気ガイド２５が配設されていれば、補助空気ガイド２６，２７については必ずしもなくてよい。このように補助空気ガイド２６，２７をなくした構成としても、熱交換機１４と遠心送風機１５との間に空気ガイド２５が配置されていれば、該空気ガイド２５により熱交換機１４における有効熱交換面積を広く確保できる。
【００３７】
・前記実施形態において、熱交換機１４は、前面側から見た場合の輪郭形状が遠心送風機１５における空気流入口１５ａの開口形状よりも大きなものであれば、その形状は、矩形状に限定されるものではなく、例えば、円形状などにしてもよい。このようにした場合も、熱交換機１４の前面の広い範囲から熱交換機１４内に空気を流入させて有効熱交換面積を広く確保することができる。
【００３８】
・前記実施形態において、空気ガイド２５（及び各空気補助ガイド２６，２７）を支持固定するシャフト２４については、１本又は３本以上の任意本数のシャフト２４によって空気ガイド２５及び各補助空気ガイド２６，２７を支持するようにしてもよい。また、各シャフト２４は、細棒状であれば、丸棒状、角棒状など、その断面形状は任意の形状でよい。また、前記各シャフト２４は、空気ガイド２５を熱交換機１４と遠心送風機１５との間に配設可能な位置であれば、前記熱交換機１４の背面と前記仕切壁１１ａの前面との間となるケーシング１１の内面位置に固定するようにしてもよく、また、斜め方向に架設してもよい。
【００３９】
・前記実施形態において、空気ガイド２５は、熱交換機１４の背面全体のうちで遠心送風機１５の空気流入口１５ａの正面領域よりも広い範囲となる背面部分からの空気吹出流を空気流入口１５ａ内へ向けてガイドできるならば、空気流入口１５ａ側となるその基端部２５ａが空気流入口１５ａの正面領域内に位置していなくてもよい。
【００４０】
・前記実施形態において、空気ガイド２５は、正面視環状をなす構成であれば、正面視円環状に限定されず、例えば、正面視四角環状をなす空気ガイドであってもよい。また、必ずしも正面視環状の構成でなくてもよく、例えば上下又は左右で対向する一対のガイド片により空気ガイドを構成してよい。
【００４１】
・前記実施形態において、空気ガイド２５は、空気流入口１５ａ側から熱交換機１４側へ向けて末広がり状をなすものであれば、空気ガイド機能を発揮する表面は平面であっても曲面であってもよい。
【００４２】
・前記実施形態では、空気調和機１０における室内機に具体化したが、これを戸外に設置される室外機に具体化してもよい。
【図面の簡単な説明】
【００４３】
【図１】本実施形態における空気調和機の断面図。
【図２】図１におけるＡ−Ａ線断面図。
【図３】ケーシング内での空気の流れを示す断面図。
【図４】比較例の空気調和機の断面図。
【符号の説明】
【００４４】
１０，５０…空気調和機、１１…ケーシング、１２…吸込口、１４…熱交換機、１５…遠心送風機（送風機）、１５ａ…空気流入口、２４…シャフト（支持部材）、２５…空気ガイド、２５ａ…空気ガイドの基端部、２５ｂ…空気ガイドの先端部、２６，２７…補助空気ガイド。
【図１】
2006029717.tif 000003
【図２】
2006029717.tif 000004
【図３】
2006029717.tif 000005
【図４】
2006029717.tif 000006